(57)【要約】      （修正有）【課題】  マグロ用多翼式カイト曳き縄を提供する。【解決手段】  多翼式カイトに幹縄（１）とルアー（３）付き枝縄（２）、を取り付けることを特徴とする、マグロ用多翼式カイト曳き縄。【選択図】図１
2007312762.tif 000002
【特許請求の範囲】
【請求項１】
多翼式カイトに幹縄とルアー付き枝縄を取り付けたことを特徴とする、マグロ用多翼式カイト曳き縄。
【発明の詳細な説明】
【技術分野】
【０００１】  本発明は、マグロ用多翼式カイト曳き縄に関するものである。
【背景技術】
【０００２】従来、マグロ用曳き縄（図５）があった。
【発明の開示】
【発明が解決しようとする課題】
【０００３】そのために、次のような問題点があった。（イ）従来のマグロ用曳き縄（図５）は一本の幹縄（１）の末端に一個のルアー（３）をつけて、漁船（９）の船尾から繰り出して、海の表層を曳航するのが主体であった。（ロ）従来のマグロ用曳き縄（図５）は、ルアー（３）が海の表層を中心に曳航され、ルアー（３）が海の中層、深層で曳航されることは不可能であった。（ハ）従来のマグロ用曳き縄（図５）では多数のルアー（３）を取り付けて、二匹以上のマグロを同時に捕獲することは、不可能であった。（ニ）漁船（９）の船尾から、それぞれにルアー（３）が取り付けられた、二本以上の幹縄（１）を曳航すると、幹縄（１）が互いにからみついて、マグロの捕獲が不可能であった。本発明は、これらの問題点を解決するためになされたものである。
【問題を解決するための手段】
【０００４】（イ）多翼式カイト（図２）に幹縄（１）の一端を縛り、海中に繰り出すと、多翼式カイト（図２）の四枚の翼板（１０，１１，１２，１３）が、水圧を受けて、漁船（９）の進行方向に対して横方向に展開してゆくので、ルアー（３）が付けられている、多数の枝縄（２）を幹縄（１）に取り付けるのが可能であり、幹縄（１）の一方の端を漁船（９）の右舷側に縛り、多翼式カイト（図２）を曳航すると、多翼式カイト（図２）の翼板（１０，１１，１２，１３）に更に水圧が加わり、多翼式カイト（図２）は更に右舷の横方向に展開する。（ロ）漁獲効率を向上させるために、上記と同様の多翼式カイト（図２）を漁船（９）の左舷側からも海中に投下すると、この多翼式カイトは左舷側の横方向に展開して行き、同様に多数のルアー（３）付き枝縄を幹縄に取り付けることが出来、左舷と右舷の幹縄（１）は多翼式カイト（図２）によって漁船（９）を中心に左右に展開した状態で、多翼式カイト（図２）自身の重量によって、海の表層から、中層、深層へと沈んで行き、中層および深層を泳いでいるマグロを捕獲できる（図４）。（ハ）このようにして、一端が漁船（９）の船体に縛られ、他端が多翼式カイト（図２）に結ばれ、その間に横たわる長大な幹縄（１）には、ルアー（３）付きの多数の枝縄（２）が取り付けられるので、多翼式カイト（図２）を曳航することにより、従来のマグロ曳き縄（図５）と異なり、多数のルアー（３）によって、複数のマグロを同時に、そして効率的に捕獲できる。（ニ）マグロ用多翼式カイト曳き縄（図１）を漁船（９）の左舷側および右舷側からも海中に投下すると、二個の多翼式カイト（図２）が、互いに反対、横方向に展開してゆくので（図３および４）、二本の幹縄（１）は互いに、からみあうことが無い。以上を特徴とする、マグロ用多翼式カイト曳き縄（図１）である。
【発明の効果】
【０００５】  多数のルアー（３）を海中で曳航できるために、従来の曳き縄（図５）よりも、マグロを効率的に捕獲できる。
【発明を実施するための最良の形態】
【０００６】以下、本発明の実施の形態について説明する。（イ）材質が金属、プラスティック、木材などで作製された、やや湾曲した翼板１（１０）、翼板２（１１）、翼板３（１２）、翼板４（１３）を、材質が金属、プラスティック、木材などで作製された、下部固定板（６）に垂直に立て、それぞれの翼面を、多翼式カイト（図２）が曳航されるとき、多翼式カイト（図２）の翼板（１０，１１，１２，１３）が受ける水流に対して、翼板（１０，１１，１２，１３）に適当な迎角をもたせて、四枚の翼板（１０，１１，１２，１３）を等間隔で、材質が金属、プラスティック、木材などで作製された、下部固定板（６）に固定し、更に材質が金属、プラスティック、木材などで作製された、上部固定板（４）と中部固定板（５）、で翼板１（１０）、翼板２（１１）、翼板３（１２）、翼板４（１３）を固定し多翼式カイト（図２）を作製する。（ロ）多翼式カイト（図２）の中部固定板（５）の前縁の中心に幹縄（１）を縛り付けるリング（７）を取り付け、下部固定板（６）の両端に、重り（８）二個をつける。（ハ）リング（７）に幹縄（１）の一端を縛り付ける。（ニ）幹縄（１）に多数の枝縄（２）を取り付ける。（ホ）それぞれの枝縄（２）の末端には一個のルアー（３）を付ける。（ヘ）これを使用する時は、幹縄（１）の一端を漁船（９）の船体に縛り付け、漁船（９）を前進させながら、最初に船体の右舷側の多翼式カイト（図２）を海中に投下し、次に多翼式カイト（図２）に取り付けられている幹縄（１）を海中に繰り出しながら、ルアー（３）付き枝縄（２）を幹縄（１）に取り付けてゆき、時々、幹縄（１）を海中に繰り出すのを止めて、多翼式カイト（図２）の翼板（１０，１１，１２，１３）が強い水圧を受けて、横方向に展開してゆくようにするが、これは陸上で凧を揚げる時に、伸びてゆく凧糸を時々手で止めて、凧に強い風圧を受けさせて、凧を更に上空に舞い上がらせるのと、同様の方法である。（ト）全てのルアー（３）付き枝縄（２）を幹縄（１）に取り付けて、海中に繰り出した後は、幹縄（１）の端を船体の一部に縛り付けると、多翼式カイト（図２）の翼板（１０，１１，１２，１３）に加わる水圧が急激に増大するので多翼式カイト（図２）は漁船（９）を中心にして、横方向に更に展開してゆく。（チ）もう一個の多翼式カイト（図２）を、上記と同様の方法で、漁船（９）の左舷側から海中に繰り出した後に、幹縄（１）の一端を船体に縛り付ける。（リ）このようにして二組のマグロ用多翼式カイト曳き縄（図１）が船体の右舷側と左舷側から海中にセットされ、左右に、水平方向に広がるので、二本の幹縄（１）は、互いにからまることなく、漁船（９）は多数のルアー（３）が装着されたマグロ用多翼式カイト曳き縄（図１）を自由に曳航できる。（ヌ）二本の幹縄（１）にはルアー（３）付きの多数の枝縄（２）が装着されて、海中で曳航されているので、従来のマグロ用曳き縄（図５）が一本の幹縄に一本だけのルアーをつけて、水中を曳航するのと較べて、マグロが多数のルアー（３）に気付きやすくなり、マグロがこれを追跡して、食いつく確率が飛躍的に増大する。（ル）漁船（９）がマグロ用多翼式カイト曳き縄（図１）を曳航する速力を早くすれば、多翼式カイト（図２）が水面近くに浮上するので、表層近くを泳いでいるマグロを捕獲できるし、漁船（９）が多翼式カイト（図２）を曳航する速力を遅くすれば、多翼式カイト（図２）自身の重量で、海底のほうに沈下するので、中層及び深層を泳いでいるマグロを捕獲できる。（ヲ）漁船（９）が、幹縄（１）を長く伸ばせば伸ばすほど、多翼式カイト（図２）は、その重みで、沈んでゆくので、幹縄（１）とこれに取り付けられているルアー（３）付き枝縄（２）がより深い海中を曳航されることで、中層、深層を泳いでいるマグロを捕獲できるし、幹縄（１）を短くして多翼式カイト（図２）を曳航すれば、多翼式カイト（図２）は水面近くに浮上するので、幹縄（１）も浮上し、上述と同じようにルアー（３）付き枝縄（２）も浮上するので、表層近くを泳いでいるマグロを捕獲できる。（ワ）マグロ用多翼式カイト曳き縄（図１）の枝縄（２）には多数のルアー（３）が取り付けられているので、同時に、複数のマグロを捕獲することが可能であり、一本の幹縄（１）の先端に、一個だけのルアー（３）を曳航する従来のマグロ用曳き縄（図５）に比較して、はるかに漁獲効率が向上する。
【図面の簡単な説明】
【０００７】
【図１】本発明の斜視図
【図２】多翼式カイトの斜視図
【図３】本発明の使用図（１）
【図４】本発明の使用図（２）
【図５】従来のマグロ用曳き縄
【符号の説明】
【０００８】  １  幹縄  ２  枝縄  ３  ルアー  ４  上部固定板  ５  中部固定板  ６  下部固定板  ７  リング  ８  重り  ９  漁船１０  翼板（１）１１  翼板（２）１２  翼板（３）１３  翼板（４）
【図１】
2007312762.tif 000003
【図２】
2007312762.tif 000004
【図３】
2007312762.tif 000005
【図４】
2007312762.tif 000006
【図５】
2007312762.tif 000007